【事件の表示】
　特願２０１５−２１５７４６「眼科装置」拒絶査定不服審判事件〔平成２９年　５月２５日出願公開、特開２０１７−　８６１６３、請求項の数（２）〕について、次のとおり審決する。
【結　論】
　原査定を取り消す。
　本願の発明は、特許すべきものとする。
【理　由】
第１　手続の経緯
　本願は、平成２７年１１月２日の出願であって、平成３０年１０月３０日付けで手続補正書が提出され、令和元年７月５日付けで拒絶理由が通知され、同年９月９日付けで意見書及び手続補正書が提出され、同年１１月２７日付けで拒絶理由が通知され、令和２年２月３日付けで意見書が提出され、同年４月１６日付けで拒絶査定（原査定）されたところ、同年７月２２日に拒絶査定不服審判の請求がなされ、同時に手続補正がなされたものである。
第２　原査定の理由
　原査定（令和２年４月１６日付け拒絶査定）の概要は次のとおりである。
　この出願の請求項１及び２に係る発明は、その出願前に日本国内又は外国において、頒布された以下の引用文献１及び３に記載された発明に基いて、その出願前にその発明の属する技術の分野における通常の知識を有する者が容易に発明をすることができたものであるから、特許法第２９条第２項の規定により特許を受けることができない。
　この出願の請求項３及び４に係る発明は、その出願前に日本国内又は外国において、頒布された以下の引用文献１、３に記載された発明及び周知技術（例えば引用文献２）に基いて、その出願前にその発明の属する技術の分野における通常の知識を有する者が容易に発明をすることができたものであるから、特許法第２９条第２項の規定により特許を受けることができない。
引用文献１：特開２００５−２８７７５２号公報
引用文献２：特開平８−２０６０６７号公報（周知技術を示す文献）
引用文献３：特開２０１３−２０８３１６号公報
第３　本願発明
　本願の請求項１及び２に係る発明（以下それぞれ「本願発明１」及び「本願発明２」という。）は、令和２年７月２２日付けの手続補正で補正された特許請求の範囲の請求項１及び２に記載された事項により特定される発明であり、そのうち本願発明１は以下のとおりの発明である。
「　　【請求項１】
　被検眼の前眼部の正面画像を撮像する撮像素子を有する前眼部観察光学系、および、検眼軸を有し被検眼を検査するための検眼系、を有する検眼部と、
　前記被検眼に対する前記検眼軸の位置関係を調整するための駆動部と、
　眼特性が検査された前記検眼軸の位置を示す検眼位置情報であって、今回検査よりも前の日の検査である前回検査における検眼軸の位置である前回位置を示す検眼位置情報を取得する取得手段と、
　前記検眼軸を被検眼上の基準位置に一致するよう前記駆動部を制御すると共に、前記検眼軸が被検眼の基準位置に一致した状態での検査を行う第１誘導手段と、
　前記第１誘導手段による検査結果に基づいて、前記前回位置にて再検査を行うか否かを判定する判定処理手段と、
　前記判定処理手段によって前記前回位置にて再検査を行うと判定された場合に、被検眼に対する前記検眼軸のアライメントを、前記取得手段によって取得される検眼位置情報に基づいて前記前回位置に誘導する第２誘導手段と、を備える眼科装置。」
　なお、本願発明２の概要は以下のとおりである。
　本願発明２は、本願発明１を減縮した発明である。
第４　引用文献、引用発明等
１　引用文献１について
（１）引用文献１の記載
　上記引用文献１には、図面とともに次の事項が記載されている。
（引１ア）
「【０００７】
　以下、本発明の一実施例を図面に基づいて説明する。
図１は実施例である眼屈折力測定装置の外観概略図を示す図である
【０００８】
　３は後述する測定光学系等を収納した測定部である。
測定部３の下部には測定部３をＸＹＺ方向に移動させる移動部４が取付けられている。移動部４は、ＸＹＺ方向それぞれに、モータ機構及びスライド機構が設けられている。なお、測定部３の各方向への移動範囲は、被検者の顔の大きさや眼の位置の個人差も考慮に入れ、両眼それぞれに測定光学系を所定の位置関係にアライメントできる構成としている
【０００９】
　５は検者がアライメント操作を行うときに使用するジョイスティックであり、ジョイスティック５の傾倒信号により測定部３がＸ及びＺ方向に移動する。また、ジョイスティック５に設けられた回転ノブ５ａの回転信号により、測定部３はＹ方向に移動する。７は被検眼像や検者に報知する情報を表示するＴＶモニタ、８はスイッチ部である。スイッチ部８は、左右眼選択スイッチ、プリントスイッチ、リセットスイッチ、アライメントをオ−トにするか検者の操作にするかを選択するスイッチ、オートアライメント時にアライメントをスタートするスイッチ等を持つ。スイッチ部８には、さらにモニタ７の表示する前眼部像の画像倍率を切換える倍率切換スイッチ８ａ、測定光が瞳孔を通過する位置を変更させる測定領域変更モードに切り換える測定領域変更スイッチ８ｂ、十字キー８ｃ、ENTERキー８ｄを持つ。また、１０はジョイスティック５の頂部に設けられた測定開始スイッチである。」
（引１イ）
「【００１０】
　
図２は測定部３内に設けられた光学系及び制御系の概略配置図である。光学系は、スリット投影光学系とスリット検出光学系からなる測定光学系、固視標光学系、及び撮像光学系に大別される
【００１１】
　
１１はスリット投影光学系であり、１２は赤外の光を発するスリット照明光源である。
光源１２は、ＸＹ方向の被検眼のアライメント状態を検出するための正面指標投影用光源、徹照像を撮像するときの光源の役割を兼ねる。
【００１２】
　
光源１２を発した赤外の光は、回転セクタ１４のスリット開口を照明する。回転セクタ１４の回転により走査されたスリット光束は、投影レンズ１６、制限絞り１７を経た後にビームスプリッタ１８で反射される。その後ハーフミラー１９、ダイクロイックミラー２０を介して、ハーフミラー２１により測定光軸Ｌ１と同軸となり被検眼Ｅの角膜近傍で集光した後、眼底に投影される。
【００１３】
　
２２はスリット検出光学系（受光光学系）であり、その光軸上に受光レンズ２３、絞り２４、複数対の受光素子を備える受光部２５を備える。
【００１４】
　３０は固視標光学系である。３１は光源、３２は固視標、３３は投光レンズ、３４は絞り、３５はリレーレンズである。固視標３２が光軸方向に移動することによって被検眼への雲霧が行われる。光源３１は固視標３２を照明し、固視標３２からの光束は投光レンズ３３、絞り３４、リレーレンズ３５、ダイクロイックミラー２０を経た後、ハーフミラー２１で反射して被検眼Ｅに向かい、被検眼Ｅは固視標３２を固視する。
【００１５】
　４０は被検眼に発散光により有限遠のアライメント指標を投影する第１指標投影光学系である。光源４１は光軸Ｌ１を中心に２個配置されており、それぞれの投影光軸が光軸Ｌ１に対して水平方向に所定の角度で交わるように配置されている。４５は被検眼に無限遠のアライメント指標を投影する第２指標投影光学系である。光源４６は光軸Ｌ１を中心に２個配置されており、それぞれの投影光軸が光軸Ｌ１に対して水平方向に前記第１指標投影光学系４０よりも広い角度で交わるように配置されている。光源４６からの光は、コリメータレンズ４７を介して、被検眼Ｅに対して無限遠の指標を投影する。
【００１６】
　第２指標投影光学系４５により投影される指標は平行光であるため、被検眼Ｅに対する測定部３の作動距離（Ｚ方向の距離）が変化しても角膜反射像の位置はほとんど変化しない。一方、第１指標投影光学系４０により投影される指標は発散光であるので、作動距離が変化すると角膜反射像の位置が変化する。これら角膜反射像の位置に基づきＺ方向のアライメント状態を検出することができる（詳しくは、本出願人による特開平６−４６９９９号を参照）。また、
被検眼正面方向より投影される光源１２による角膜反射像の位置に基づきＸＹ方向のアライメント状態の検出することができる。
【００１７】
　
３６は撮像光学系である。被検眼Ｅの前眼部像は、ビ−ムスプリッタ２１、撮影レンズ３７により撮像素子３８に結像される。
撮像光学系３６は、被検眼前眼部を広範囲から撮像できる。また、撮像光学系３６は、被検眼へ投影された指標による角膜反射像を検出することにより、アライメント検出光学系を兼用する。
【００１８】
　撮像素子３８からの出力信号は、画像制御部５１を介してモニタ７に表示される。画像制御部５１に接続された画像メモリ５１ａは、撮像素子３８から送られてくる画像を記憶する役割を持つ。また、画像制御部５１は、レチクルマークやその他条件設定等の表示マークを生成する役割を持つ。図３は、撮像光学系３６により撮像される被検眼Ｅの前眼部像をモニタ７で表示したものである。また、画像制御部５１は撮像素子３８からの出力信号に対して拡大処理を行い、モニタ７に被検眼前眼部の拡大画像を表示する電子ズーム機能を持つ。電子ズームは、撮像素子３８からの出力信号を基に行う場合と、画像メモリ５１に記憶された画像を基に行う場合がある。
【００１９】
　５０はシステム制御部であり、画像制御部５１、受光部２５、スイッチ部８、ジョイスティック５、センサ１３、光源３１、光源１２、モータ１５、測定データを記憶するメモリ５２等と接続されている。また、
システム制御部５０は、受光部２５からの検出信号を基に眼屈折力を演算する機能を有する。
（引１ウ）
「【００２０】
　以上のような構成を備える装置における動作を説明する。まず、オートアライメントモードにおける動作を説明する。測定部３は各方向の初期位置（ＸＹ方向は移動可能範囲の中間位置、Ｚ方向は最も被検眼から離れる側である）にある。被検者の顔を顔固定ユニット２に位置させた後、アライメントスタート用のスイッチを押すと、始めに右眼を測定すべく、制御部５１により右眼方向に測定部３が移動される。測定部３が移動すると、右眼の前眼部像が撮像素子３８により撮像されるようになり、その画像がモニタ７に表示される。図３は、モニタ７に表示される画像の例である。広角撮影が可能な撮像光学系により撮像素子３８に被検眼像が入れるようになると、第１指標投影光学系４０により発散光が被検眼に照射されているので、第１指標投影光学系４０による角膜反射像が検出できるようになり、被検眼の大まかな位置ずれを特定することができる。制御部５０は、その情報に基づいて測定部３をＸＹ移動する。光軸Ｌ１を被検眼近傍に位置させることができるようになると、被検眼は固視標３２を視認可能になる。なお、被検眼位置のおおまかな特定は、画像制御部５１により前眼部像から被検眼の瞳孔像を抽出する方法でも可能である。
【００２１】
　ある程度ＸＹ方向の移動ができると、被検眼の角膜上には第１指標投影光学系４０による角膜反射像とともに、第２指標投影光学系４５による角膜反射像も検出されるようになり、ＸＹ方向のアライメントの微調整が行われる。また、制御部５０は第１指標投影光学系４０及び第２指標投影光学系４５による角膜反射像から、前述のように方向のアライメント状態を検出し、Ｚ方向のアライメントが完了するように測定部３を作動距離方向に移動させる。
【００２２】
　ＸＹＺ方向のアライメントが完了すると、制御部５０は、トリガ信号を自動的に発してスリット投影光学系１１、スリット検出光学系２２を動作させることにより、屈折力測定を実行する。まず、受光部２５からの位相差信号に基づいて予備測定の屈折力を得て、その結果に基づいて固視標光学系３０の固視標３２を移動して被検眼の雲霧を行う。被検眼に雲霧がかかった状態で、受光部２５からの位相差信号から３経線方向の屈折力が得られ、これに所定の処理を施すことによって球面度数（Ｓ）、柱面度数（Ｃ）、軸角度（Ａ）が求められる。また、アライメント完了状態の予備測定時あるいは雲霧動作中に、光源１２の光量を増大させ、徹照像撮影用の照明光を眼底に照射させる（このとき、他のアライメント光源、前眼部照明光源については、消灯又は減光すると良い）。光源１２の光量の増大に連動して撮像素子３８により撮像される瞳孔領域を含む前眼部像の静止画をメモリ５１ａに記憶される。
アライメント完了の状態では、瞳孔領域が撮像素子３８のほぼ中央に撮像される。
【００２３】
　
眼屈折力の測定終了後、制御部５０は、位相差信号が得られなかったり、測定結果が許容値より大きく外れているような場合、測定エラーと判定する。
モニタ７の画面中央のＣは、測定光軸Ｌ１を示すマークである。
【００２４】
　測定エラー後、測定領域変更スイッチ８ｂが押されると、測定領域変更モードに切り替わる。これは、次の測定時に、水晶体の混濁部分を避けるように測定光束が通過する位置を変更するものである。スイッチ８ｂが押されると、図５（ａ）に示すように、受光部２５の受光素子で受光される測定光束（眼底反射光）が瞳孔部分を通過する時の領域を示すエリアＫが画像制御部５１により生成され、モニタ７に表示される。これにより、検者は測定光束が瞳孔領域内のどの部分を通過したかを確認することができる。エリアＫと混濁部分Ｃａが重なった部分は、測定光束が混濁部Ｃａにより遮られた部分であり、混濁部分Ｃａが測定エラーの要因となったものと判断される。
【００２５】
　
検者は十字キー８ｃを操作して、エリアＫを徹照像に対して上下左右方向に移動させることにより、図５（ｂ）のようにエリアＫと混濁部Ｃａが重ならないようにする。このような状態で検者がENTERスイッチ８ｄを押すと、制御部５０は移動前のエリアＫの座標位置Ｐ１に対する移動後のエリアＫの座標位置Ｐ２とから変位量Δｄ及び移動方向を求め、その変位量Δｄに対するモニタ７の表示倍率の関係に基づき、実際に測定部３を移動させるべき移動量ΔＤ及び移動方向のアライメント変更情報を算出する。制御部５０はアライメント変更情報に基づいて、アライメントの完了条件を変更する。
【００２６】
　測定領域の変更が終了し、検者よりアライメントスタートのスイッチが押されると、制御部５０は、再度被検眼に対する測定部３のアライメントを行い、変更したアライメント完了条件の下で屈折力を測定する。モニタ７の表示は、静止画の拡大表示状態からアライメント表示の状態に切換えられる。これにより、測定領域を変更して屈折力を測定することができる。この時、初めの眼屈折力測定を行った後も、測定部３と被検眼とのアライメント状態を継続させる自動追尾モードとしておけば、測定領域を変更して再測定を行う場合に、粗位置合わせの時間が短くなり、効率的である。
【００２７】
　以上示したように撮像光学系３５の撮像素子３６による撮像範囲が広いため、ジョイスティック５を操作することなく被検眼へのオートアライメントを行うことができる。また、水晶体に混濁がある被検眼においても、前眼部像の瞳孔領域を拡大表示することで、その観察が容易になり、測定領域を変更してのアライメントも容易に行える。」
（引１エ）
「【００２８】
　検者によるジョイスティック５の操作によりアライメントを行うマニュアルアライメントモードの動作について説明する。マニュアルアライメントを行う際、検者はモニタ７にて図３のような広範囲の前眼部像が観察できるので、測定部３を移動させる方向が容易に分かる。図３において、Ｍ１は光軸Ｌ１付近を示すレチクルであり、画像制御部５１の電子ズーム機能により画像が拡大される領域を示している。検者は、レチクルＭ１の枠内に測定する被検眼が入るよう、ジョイスティック５を操作して測定部３の位置を粗調節する。
【００２９】
　レチクルＭ１の枠内に被検眼が入るようになった後、検者が倍率切換スイッチ８ａを押すと、画像制御部５１は撮像素子３８からの画像信号を拡大処理し、図３のレチクルＭ１の枠内に相当する領域の画像をモニタ７に表示する。
図６は、画像制御部５１により拡大処理された前眼部像を示す図である。Ｍ２は、測定光軸Ｌ１を基準にアライメントを導くためのレチクルである。検者は、拡大された前眼部像を見ながら、レチクルＭ２の中心に光源１２による角膜反射像ｍ１がくるように、測定部３の位置を微調節する。
アライメントが完了した後、検者が測定開始スイッチ１０を押すと、屈折力測定が開始される。
【００３０】
　
マニュアルアライメントモードにおいても、上記と同じく測定領域変更モードにて、図５（ａ），（ｂ）で示した方法と同様に、測定領域の変更によりアライメント完了条件を変更することができる。その後、再測定を行う際には、倍率切換スイッチ８ａにより被検眼の拡大画像の表示に切換える
【００３１】
　なお、上記実施例では、十字キー８ｃの操作により固定された徹照像に対してエリアＫの表示位置を移動させる構成としたが、逆に、エリアＫの表示位置を固定させておき、徹照像画像を移動させ、その変位量に基づいて測定部３の移動量を求めるようにしてもよい。
【００３２】
　また、制御部５０の測定エラーの判定とともに、測定領域が混濁部により遮断されているかどうかを自動的に判定してもよい。この場合、画像制御部５１は、画像メモリ５１ａに記憶された前眼部像画像のデータの解析を行う。解析する領域としては、記憶された前眼部像の画像データの全アドレスを解析する必要はなく、少なくとも瞳孔領域内を解析できるように光軸Ｌ１から一定範囲内を解析すればよい。画像解析において、光源１２により被検眼眼底から照明された瞳孔領域は明るくなり、白内障による混濁部があると暗い影となって現れることを利用して、画像制御部５１は瞳孔領域における混濁部を特定することができる。混濁部が特定されると、測定光束の瞳孔上での通過領域と混濁部が重なっているかをチェックし、重なっている部分の面積が許容量以上である時には、エラーと判定する。エラーと判定された場合には、屈折力測定中であっても測定を中止し、モニタ７上に画像制御部５１ａにより解析を行った前眼部像の拡大画像を表示する。その後、検者により上記のような測定領域の変更を行えばよい。
【００３３】
　さらに、測定領域の変更を自動的に行う場合を説明する。画像制御部５１は、混濁部と測定領域が重ならないような位置をサーチする。この場合、予め数箇所の測定領域の座標位置を決めておき、各座標位置ごとに測定光束の通過領域と混濁部が重なっているかをチェックし、重なっている部分の面積が許容量以上であるかを判定すればよい。このように判定していき、混濁部のない測定部位があれば、この測定部位の座標位置と前回の測定時における測定領域の座標位置との変位を演算し、その変位に基づいて測定部３の移動情報が算出されアライメント完了条件が変更される。このようにすれば、瞳孔部での測定領域の変更を自動的に行うことができ、検者の手間を省くことができる。」
（引１オ）図１
（引１カ）図２
（引１キ）図３、図４
（引１ク）図５
（引１ケ）図６
（引１コ）図７
（２）引用文献１に記載された発明
　上記（１）の記載を整理する。
ア　【０００７】「図１は実施例である眼屈折力測定装置の外観概略図を示す図である。」、【００１０】「図２は測定部３内に設けられた・・・光学系は、・・・撮像光学系に大別される。」、【００１７】「３６は撮像光学系である。被検眼Ｅの前眼部像は、・・・撮像素子３８に結像される。・・・撮像光学系３６は、被検眼前眼部を広範囲から撮像できる。」との記載によれば、引用文献１の眼屈折力測定装置は、被検眼Ｅの前眼部像を結像する撮像素子３８を有する撮像光学系３６、を有する測定部３を備えることが読み取れる。
イ　【００１０】「図２は測定部３内に設けられた・・・光学系は、スリット投影光学系とスリット検出光学系からなる測定光学系、・・・に大別される。」、【００１１】「１１はスリット投影光学系であり、１２は・・・スリット照明光源である。」、【００１２】「光源１２を発した赤外の光は、・・・・測定光軸Ｌ１と同軸となり被検眼Ｅの角膜近傍で集光した後、眼底に投影される。」、【００１３】「２２はスリット検出光学系（受光光学系）であり、その光軸上に・・・受光部２５を備える。」との記載によれば、引用文献１の眼屈折力測定装置は、スリット照明光源１２を有するスリット投影光学系１１と、測定光軸Ｌ１上に受光部２５を有するスリット検出光学系２２と、からなる測定光学系、を有する測定部３を備えることが読み取れる。
ウ　【００１９】「システム制御部５０は、受光部２５からの検出信号を基に眼屈折力を演算する機能を有する。」との記載によれば、引用文献１の眼屈折力測定装置は、受光部２５からの検出信号を基に眼屈折力を演算する機能を有するシステム制御部５０とを備えることが読み取れる。
エ　【０００８】「測定部３の下部には測定部３をＸＹＺ方向に移動させる移動部４が取付けられている。・・・測定部３の各方向への移動範囲は、被検者の顔の大きさや眼の位置の個人差も考慮に入れ、両眼それぞれに測定光学系を所定の位置関係にアライメントできる構成としている」との記載によれば、引用文献１の眼屈折力測定装置は、測定部３をＸＹＺ方向に移動させ、両眼それぞれに測定光学系を所定の位置関係にアライメントするための移動部４を備えることが読み取れる。
オ　【００１１】「光源１２は、ＸＹ方向の被検眼のアライメント状態を検出するための正面指標投影用光源・・・の役割を兼ねる。」、【００２２】「アライメント完了の状態では、瞳孔領域が撮像素子３８のほぼ中央に撮像される。」、【００２３】「モニタ７の画面中央のＣは、測定光軸Ｌ１を示すマークである。」、【００２９】「Ｍ２は、測定光軸Ｌ１を基準にアライメントを導くためのレチクルである。検者は、拡大された前眼部像を見ながら、レチクルＭ２の中心に光源１２による角膜反射像ｍ１がくるように、測定部３の位置を微調節する。・・・アライメントが完了した後、検者が測定開始スイッチ１０を押すと、屈折力測定が開始される。」、との記載によれば、引用文献１のシステム制御部５０は、マニュアルアライメントモードにおいて、測定光軸Ｌ１を導くためのレチクルＭ２を表示し、検者により、表示させたレチクルＭ２の中心に光源１２による角膜反射像ｍ１がくるように測定部３の位置が微調節され、測定光軸Ｌ１が瞳孔領域の中央にくるようアライメントが誘導された後に、眼屈折力の測定を開始することが読み取れる。
カ　【００３０】「マニュアルアライメントモードにおいても、上記と同じく測定領域変更モードにて、図５（ａ），（ｂ）で示した方法と同様に、測定領域の変更によりアライメント完了条件を変更することができる。」との記載を踏まえ、オートアライメントモードにおける記載【００２３】「眼屈折力の測定終了後、制御部５０は、・・・測定結果が許容値より大きく外れているような場合、測定エラーと判定する。」、【００２３】〜【００２５】からアライメント完了条件の変更は、測定エラーと判定された後の処理であることを参考にすると、引用文献１のシステム制御部５０は、マニュアルアライメントモードにおいて、眼屈折力の測定終了後、測定結果が許容値より大きく外れているような場合、測定エラーと判定することが読み取れる。
キ　【００３０】「マニュアルアライメントモードにおいても、上記と同じく測定領域変更モードにて、図５（ａ），（ｂ）で示した方法と同様に、測定領域の変更によりアライメント完了条件を変更することができる。その後、再測定を行う際には、・・・図７のように、モニタ７上に被検眼の拡大画像が表示されるとともに、光軸Ｌ１の位置Ｃから変位量Δｄを基に変更された位置にレチクルＭ３が表示される。これにより手動操作時におけるアライメントが誘導される。検者はジョイスティック５を操作して、レチクルＭ３の枠内に角膜反射像ｍ１が入るように測定部３を移動させることにより、ＸＹ方向のアライメントを行う。そして、・・・アライメントを行った後、測定開始スイッチ１０を押すと、測定が開始されて、変更した測定領域にて測定が行われる。」との記載を踏まえ、オートアライメントモードにおける記載【００２５】「制御部５０は移動前のエリアＫの座標位置Ｐ１に対する移動後のエリアＫの座標位置Ｐ２とから変位量Δｄ及び移動方向を求め、その変位量Δｄに対するモニタ７の表示倍率の関係に基づき、実際に測定部３を移動させるべき移動量ΔＤ及び移動方向のアライメント変更情報を算出する。制御部５０はアライメント変更情報に基づいて、アライメントの完了条件を変更する。」を参考にすると、引用文献１のシステム制御部５０は、マニュアルアライメントモードにおいて、測定エラーが判定された場合、測定部３を移動させるべき変位量Δｄ及び移動方向のアライメント変更情報を算出し、アライメント変更情報を基に変更された位置に測定光軸Ｌ１を導くためのレチクルＭ３を表示し、検者により、表示させたレチクルＭ３の枠内に光源１２による角膜反射像ｍ１が入るように測定部３の位置が調節され、測定光軸Ｌ１が瞳孔領域の中央から変更された位置にくるようアライメントが誘導された後に、眼屈折力の再測定を開始することが読み取れる。
ク　したがって、上記ア〜キから、引用文献１には、次の発明（以下「引用発明」という。）が記載されていると認められる。
「　被検眼Ｅの前眼部像を結像する撮像素子３８を有する撮像光学系３６、及び、スリット照明光源１２を有するスリット投影光学系１１と、測定光軸Ｌ１上に受光部２５を有するスリット検出光学系２２と、からなる測定光学系、を有する測定部３と、
　測定部３をＸＹＺ方向に移動させ、両眼それぞれに測定光学系を所定の位置関係にアライメントするための移動部４と、
　受光部２５からの検出信号を基に眼屈折力を演算する機能を有するシステム制御部５０と、
を備える眼屈折力測定装置であって、
　システム制御部５０は、マニュアルアライメントモードにおいて、
　測定光軸Ｌ１を導くためのレチクルＭ２を表示し、検者により、表示させたレチクルＭ２の中心に光源１２による角膜反射像ｍ１がくるように測定部３の位置が微調節され、測定光軸Ｌ１が瞳孔領域の中央にくるようアライメントが誘導された後に、眼屈折力の測定を開始し、
　眼屈折力の測定終了後、測定結果が許容値より大きく外れているような場合、測定エラーと判定し、
　測定エラーが判定された場合、測定部３を移動させるべき変位量Δｄ及び移動方向のアライメント変更情報を算出し、アライメント変更情報を基に変更された位置に測定光軸Ｌ１を導くためのレチクルＭ３を表示し、検者により、表示させたレチクルＭ３の枠内に光源１２による角膜反射像ｍ１が入るように測定部３の位置が調節され、測定光軸Ｌ１が瞳孔領域の中央から変更された位置にくるようアライメントが誘導された後に、眼屈折力の再測定を開始する、眼屈折力測定装置。」
２　引用文献３について
（１）引用文献３の記載
　上記引用文献３には、図面とともに次の事項が記載されている。
（引３ア）
「【０００１】
　本発明は、
被検者眼眼底の断層像を得る眼底撮影装置
（引３イ）
「【００９０】
　なお、本実施例において、
過去のアライメント状態と撮影時のアライメント状態とを比較する構成を設けてもよい。例えば、異なる日時で撮影を行った際に、撮影画像とともに、前眼部画像とアライメント位置をメモリ７２に記憶させておく。そして、撮影を行う際に、メモリ７２より過去に撮影した際の前眼部画像とアライメント位置を呼び出す。
【００９１】
　
制御部７０は、過去の前眼部画像に対するアライメント位置と、現在取得される前眼部像に対するアライメント位置が同じ位置になるように駆動部６の駆動を制御する。過去のアライメント位置にアライメントが完了した際に、制御部７０は、最適化制御を開始させる。
【００９２】
　制御部７０は、現在アライメント中の前眼部画像と過去の前眼部画像との位置合わせ処理（例えば、テンプレートマッチング処理等）を行い、過去のアライメント位置にアライメントが完了した際に、最適化制御を開始させる。
これによって、過去に行った際の、撮影条件と同様の撮影条件にて、撮影を行うことができるため、経過観察が行いやすくなる。
（２）引用文献３に記載された技術的事項
　上記（１）から、引用文献３には、次の技術的事項が記載されていると認められる。
「　被検者眼眼底の断層像を得る眼底撮影装置であって、
　過去のアライメント状態と撮影時のアライメント状態とを比較する構成を設け、異なる日時で撮影を行った際に、撮影画像とともに、前眼部画像とアライメント位置をメモリ７２に記憶させておき、撮影を行う際に、メモリ７２より過去に撮影した際の前眼部画像とアライメント位置を呼び出し、
　制御部７０は、過去の前眼部画像に対するアライメント位置と、現在取得される前眼部像に対するアライメント位置が同じ位置になるように駆動部６の駆動を制御し、過去のアライメント位置にアライメントが完了した際に、制御部７０は、最適化制御を開始させ、これによって、過去に行った際の、撮影条件と同様の撮影条件にて、撮影を行うことができるため、経過観察が行いやすくなる、眼底撮影装置。」
第６　対比・判断
１　本願発明１について
（１）対比
　本願発明１と引用発明とを対比する。
ア　引用発明の「被検眼Ｅの前眼部像を結像する撮像素子３８を有する撮像光学系３６」は、本願発明１の「被検眼の前眼部の正面画像を撮像する撮像素子を有する前眼部観察光学系」に相当する。
イ　引用発明の「スリット照明光源１２を有するスリット投影光学系１１と、測定光軸Ｌ１上に受光部２５を有するスリット検出光学系２２と、からなる測定光学系」は、「受光部２５からの検出信号を基に眼屈折力」が「演算」されるから、本願発明１の「検眼軸を有し被検眼を検査するための検眼系」に相当する。
ウ　ア及びイを踏まえると、引用発明の「測定部３」は、本願発明１の「検眼部」に相当する。
エ　引用発明の「測定部３をＸＹＺ方向に移動させ、両眼それぞれに測定光学系を所定の位置関係にアライメントするための移動部４」は、本願発明１の「前記被検眼に対する前記検眼軸の位置関係を調整するための駆動部」に相当する。
オ　引用発明の「測定部３を移動させるべき変位量Δｄ及び移動方向のアライメント変更情報」は、「測定光軸Ｌ１が瞳孔領域の中央から変更された位置」に関する情報であるから、本願発明１の「前記検眼軸の位置を示す検眼位置情報」に相当する。
　よって、引用発明の「システム制御部５０」の、「測定部３を移動させるべき変位量Δｄ及び移動方向のアライメント変更情報を算出」する部分と、本願発明１の「眼特性が検査された前記検眼軸の位置を示す検眼位置情報であって、今回検査よりも前の日の検査である前回検査における検眼軸の位置である前回位置を示す検眼位置情報を取得する取得手段」とは、「前記検眼軸の位置を示す検眼位置情報を取得する取得手段」の点で共通する。
カ　引用発明の「システム制御部５０」の、「マニュアルアライメントモードにおいて、測定光軸Ｌ１を導くためのレチクルＭ２を表示し、検者により、表示させたレチクルＭ２の中心に光源１２による角膜反射像ｍ１がくるように測定部３の位置が微調節され、測定光軸Ｌ１が瞳孔領域の中央にくるようアライメントが誘導された後に、眼屈折力の測定を開始」する部分は、本願発明１の「前記検眼軸を被検眼上の基準位置に一致するよう前記駆動部を制御すると共に、前記検眼軸が被検眼の基準位置に一致した状態での検査を行う第１誘導手段」に相当する。
キ　引用発明の「システム制御部５０」が「眼屈折力の測定終了後、測定結果が許容値より大きく外れているような場合、測定エラーと判定し、　測定エラーが判定された場合、」「瞳孔領域の中央から変更された位置」で「眼屈折力の再測定を開始する」ことから、引用発明の「システム制御部５０」の、「眼屈折力の測定終了後、測定結果が許容値より大きく外れているような場合、測定エラーと判定」する部分と、本願発明１の「前記第１誘導手段による検査結果に基づいて、前記前回位置にて再検査を行うか否かを判定する判定処理手段」とは、「前記第１誘導手段による検査結果に基づいて、別の位置で再検査を行うか否かを判定する判定処理手段」の点で共通する。
ク　引用発明の「システム制御部５０」の、「測定エラーが判定された場合、測定部３を移動させるべき変位量Δｄ及び移動方向のアライメント変更情報を算出し、アライメント変更情報を基に変更された位置に測定光軸Ｌ１を導くためのレチクルＭ３を表示し、検者により、表示させたレチクルＭ３の枠内に光源１２による角膜反射像ｍ１が入るように測定部３の位置が調節され、測定光軸Ｌ１が瞳孔領域の中央から変更された位置にくるようアライメントが誘導され」る部分と、本願発明１の「前記判定処理手段によって前記前回位置にて再検査を行うと判定された場合に、被検眼に対する前記検眼軸のアライメントを、前記取得手段によって取得される検眼位置情報に基づいて前記前回位置に誘導する第２誘導手段」とは、「前記判定処理手段によって別の位置で再検査を行うと判定された場合に、被検眼に対する前記検眼軸のアライメントを、前記取得手段によって取得される検眼位置情報に基づいて誘導する第２誘導手段」の点で共通する。
ケ　引用発明の「眼屈折力測定装置」は、本願発明１の「眼科装置」に相当する。
　したがって、本願発明１と引用発明とは、次の点で一致し、次の点で相違する。
（一致点）
「　被検眼の前眼部の正面画像を撮像する撮像素子を有する前眼部観察光学系、および、検眼軸を有し被検眼を検査するための検眼系、を有する検眼部と、
　前記被検眼に対する前記検眼軸の位置関係を調整するための駆動部と、
　前記検眼軸の位置を示す検眼位置情報を取得する取得手段と、
　前記検眼軸を被検眼上の基準位置に一致するよう前記駆動部を制御すると共に、前記検眼軸が被検眼の基準位置に一致した状態での検査を行う第１誘導手段と、
　前記第１誘導手段による検査結果に基づいて、別の位置で再検査を行うか否かを判定する判定処理手段と、
　前記判定処理手段によって別の位置で再検査を行うと判定された場合に、被検眼に対する前記検眼軸のアライメントを、前記取得手段によって取得される検眼位置情報に基づいて誘導する第２誘導手段と、を備える眼科装置。」
（相違点）
　本願発明１では、「眼特性が検査された」検眼軸の位置を示す「今回検査よりも前の日の検査である前回検査における検眼軸の位置である前回位置を示す」検眼位置情報を取得し、「前記前回位置にて」再検査を行うか否かを判定し、「前記前回位置にて」再検査を行うと判定された場合に、被検眼に対する前記検眼軸のアライメントを、取得される検眼位置情報に基づいて「前記前回位置に」誘導するのに対し、引用発明では、「測定エラーが判定された場合、測定部３を移動させるべき変位量Δｄ及び移動方向のアライメント変更情報を算出し」ているが、ここでの「アライメント変更情報」は、「測定エラーが判定された場合」に「再測定」のために「算出」するものであって、本願発明１のように「眼特性が検査された」、「今回検査よりも前の日の検査である前回検査における検眼軸の位置である前回位置を示す」ためのものではない点。
（２）相違点についての判断
　上記相違点について検討する。
　引用文献３に記載された技術的事項によれば、引用文献３は、
経過観察のため、
前回検査において予め取得してある
　一方、引用発明は、
再測定のため、
改めて取得し、この取得した
　したがって、引用発明と引用文献３に記載された技術事項とは、検眼軸の位置を取得する目的もタイミングも異なり、引用発明に引用文献３に記載された技術的事項を適用する動機は存在しない。
　仮に、引用発明において経過観察のために、引用文献３に記載された技術的事項を適用した場合を考えてみると、今回検査の中の最初の検査位置である「前眼部像上の角膜頂部の位置」を、前回検査において予め取得してある「今回検査よりも前の日の検査である前回検査における検眼軸の位置である前回位置」に代えることになるから、本願発明１の構成には至らない。
　よって、上記相違点に係る本願発明１の構成は、引用発明及び引用文献３に記載された技術的事項に基づいて当業者が容易に想到し得ることでない。
　そして、本願発明１が奏する「前回の検査から今回までの間に白内障手術等が行われていたとき等に、基準位置でのより正確な検査結果を享受できる」という効果は、当業者が引用文献１及び３の記載から予測し得ることでない。
　してみると、本願発明１は、当業者であっても、引用発明及び引用文献３に記載された技術的事項に基づいて容易に発明できたものとはいえない。
２　本願発明２について
　本願発明２も、上記相違点に係る本願発明１の構成を備えるものであるから、本願発明１と同様の理由により、当業者であっても、引用発明及び引用文献３に記載された技術的事項に基づいて容易に発明できたものとはいえない。
第７　むすび
　以上のとおり、本願発明１及び２は、当業者が引用発明及び引用文献３に記載された技術的事項に基づいて容易に発明をすることができたものではない。したがって、原査定の拒絶理由によっては、本願を拒絶することができない。
　また、他に本願を拒絶すべき理由を発見しない。
　よって、結論のとおり審決する。